(57)【要約】【課題】  作業の進捗と品質を客観的に確認可能できる作業支援システムを提供する。【解決手段】  作業員に携帯される作業支援端末と、前記作業支援端末と通信する管理装置を備えた作業支援システムであって、前記作業支援端末は、現在の作業エリアを検出する作業エリア検出部と、振動の検出に基づき作業員の現在行動量を検出する行動量検出部と、前記現在の作業エリアにおいて検出される前記現在行動量を記憶する記憶部とを備え、前記管理装置は、前記作業支援端末から前記現在の作業エリアと前記現在行動量を受信する通信部と、予め前記作業エリアにおける基準行動量を記憶する記憶部と、前記作業支援端末が前記現在行動量を検出した作業エリアに対応する前記基準行動量と前記現在行動量とを比較する行動量比較部と、前記行動量比較部による比較の結果が所定範囲を外れているか否かを判定する判定部とを備える。【選択図】図５
2015191527.tif 000002
【特許請求の範囲】
【請求項１】
複数の作業エリアで作業する作業員に携帯される作業支援端末と、前記作業支援端末と通信する管理装置を備えた作業支援システムであって、
前記作業支援端末は、
現在の作業エリアを検出する作業エリア検出部と、
振動を検出する手段であって該振動の検出に基づき作業員の現在行動量を検出する行動量検出部と、
前記現在の作業エリアにおいて検出される前記現在行動量を記憶する記憶部と、を備え、
前記管理装置は、
前記作業支援端末から前記現在の作業エリアと前記現在行動量を受信する通信部と、
予め前記作業エリアにおける基準行動量を記憶する記憶部と、
前記作業支援端末が前記現在行動量を検出した作業エリアに対応する前記基準行動量と前記現在行動量とを比較する行動量比較部と、
前記行動量比較部による比較の結果が所定範囲を外れているか否かを判定する判定部と、
を備えていることを特徴とした作業支援システム。
【請求項２】
さらに、
前記行動量検出部により検出される前記現在行動量を監視して、単位時間当たりの前記現在行動量がしきい値に満たない状態が所定時間継続すると作業の滞留を判定する滞留判定部を備える請求項１に記載の作業支援システム。
【請求項３】
前記行動量比較部によって比較される前記現在行動量と前記基準行動量は、
前記作業エリアごとに把握される全行動量に係る情報と、前記作業エリアごとに把握される単位時間当りの行動量に係る情報と、前記作業エリアの作業を開始してから任意の作業エリアに至るまでに把握される全行動量に係る情報と、前記作業エリアの作業を開始してから任意の作業エリアに至るまでに把握される単位時間当りの行動量に係る情報と、からなる群から選択された一の情報に係るものである請求項１または２に記載の作業支援システム。
【請求項４】
前記作業支援端末において、
前記記憶部は、前記作業エリアごとに設けられた標識装置と作業エリアとを対応させて予め記憶し、
前記作業エリア検出部は、作業エリアごとに設けられた標識装置を認識する手段であって、該認識した標識装置に基づき前記現在の作業エリアを検出し、
前記作業終了検出部は、標識装置の認識を当該標識装置に対応する作業エリアの作業終了の入力として受け付ける請求項１から３のいずれかに記載の作業支援システム。
【請求項５】
複数の作業エリアで作業する作業員に携帯される作業支援端末であって、
現在の作業エリアを検出する作業エリア検出部と、
振動を検出する手段であって該振動の検出に基づき作業員の現在行動量を検出する行動量検出部と、
予め前記作業エリアにおける基準行動量を記憶するとともに、前記現在の作業エリアにおいて検出される前記現在行動量を記憶する記憶部と、
作業終了の入力を受け付ける作業終了検出部と、
前記作業終了の入力があると、前記現在の作業エリアに対応する前記基準行動量と前記現在行動量とを比較する行動量比較部と、
前記行動量比較部による比較の結果が所定範囲を外れているか否かを判定する判定部と、
を備えていることを特徴とした作業支援端末。
【請求項６】
複数の作業エリアで作業する作業員を支援する作業支援方法であって、
予め前記作業エリアにおける基準行動量を記憶するステップと、
現在の作業エリアを検出するステップと、
振動の検出に基づき作業員の現在行動量を検出するステップと、
前記現在の作業エリアにおいて検出される前記現在行動量を記憶するステップと、
作業終了の入力を受け付けると、前記現在の作業エリアに対応する前記基準行動量と前記現在行動量とを比較するステップと、
前記基準行動量と前記現在行動量の比較の結果が所定範囲を外れているか否かを判定するステップと、
を有することを特徴とした作業支援方法。
【発明の詳細な説明】
【技術分野】
【０００１】
本発明は、所定の作業エリアを作業員が巡回しながら作業を行う業務において、作業員の作業負担あるいは管理負担を軽減する作業支援システム、作業支援端末、作業支援方法に関する。
【背景技術】
【０００２】
ビル管理等の業務では、会社の敷地内やビル内部等を対象施設として外部の清掃会社や清掃員に施設内の定期清掃を依頼することがある。このような場合、清掃員は、対象施設で清掃を行う清掃エリア（作業エリア）を所定の順序で定期的あるいは不定期に巡回し、各清掃エリア内の清掃を実施する。係る清掃業務においては、清掃員は予め施設内の清掃すべき箇所とその内容を覚える必要があり、その記憶に従って清掃を行わなければならない。
【０００３】
上述した清掃業務では、外部の清掃員が清掃位置を熟知している必要があり、清掃員の負担が少なくない。これは、清掃業務だけに限らず、設備機器などの保守点検業務でも同様である。保守点検の分野では、こうした課題について以下に示すように作業員の負担を軽減するための発明も提案されている。
【０００４】
特許文献１には、設備の点検保守を行なう作業員が所持し、その作業を支援することにより設備の点検保守を確実に行うことができる携帯端末装置の発明が開示されている。この携帯端末装置は、各設備に対して与えられた設備ＩＤの各々と、設備の点検順序を示す点検順序情報が登録された点検スケジュール管理用の制御装置と、各種情報を表示するディスプレイと、設備に貼付された無線タグから出た設備ＩＤを受信するインタフェース装置とを備えている。そして、制御装置は、インタフェース装置が設備ＩＤを受け付けた際に、前述の点検順序情報をもとに、現時点で入力されるべき設備ＩＤを点検スケジュールから抽出し、抽出した設備ＩＤと、インタフェース装置が受け付けた設備ＩＤとを比較して、その結果をディスプレイに表示する。この装置によれば、点検スケジュール上の設備の識別情報と、現場で取得する設備の識別情報との一致、不一致が表示手段に表示されるため、これから点検をはじめようとする設備が目的とする設備なのか否かがはっきりし、
作業員に無用な心配を抱かせるようなことがないとされている。
【０００５】
特許文献２には、携帯入出力装置を用いることにより、作業員の熟練度に依存することなく、効率よくかつ確実に設備の点検を行える設備管理支援システムの発明が開示されている。このシステムのデータ管理装置の記憶手段には、巡回順序を含む設備点検情報を記憶させる。このデータ管理装置から通信インターフェイス装置を介して携帯入出力装置へ設備点検情報を転送すると、携帯入出力装置の画面上では「次ポイント」がタッチされる毎に、設備点検情報に含まれている巡回順序に基づいて、巡回対象が順次表示されて行く。点検が終了する毎にこの操作を行うことにより、次の巡回先が画面上で指し示され、データ管理装置で決められた巡回順序通りに設備の点検を進めて行くことが可能となる。この携帯入出力装置を用いれば、作業員の熟練度に依存することなく、効率よくかつ確実に設備の点検を行うことができるようになるものとされている。
【先行技術文献】
【特許文献】
【０００６】
【特許文献１】特開平１０−２２２５４３号公報
【特許文献２】特開２００１−１５９９１６号公報
【発明の概要】
【発明が解決しようとする課題】
【０００７】
従来の清掃業務では、先に述べたように、対象施設の清掃エリア、清掃箇所などについて清掃員が事前に熟知しておく必要があり、清掃員に対する個人的な負担が重く、特に新人の清掃員にとっては不安を感じながらの実施とならざるを得ないのが通常である。また、清掃業務を管理する清掃会社などにとっても、確実に清掃できたか把握するのが難しいといった問題があった。
【０００８】
特許文献１、２に示したような装置は、構成の簡素な電子的なデバイスにより、このような各所を巡回しつつ作業を行うような場合に負担を軽減するものであり、これによって作業案内がわかりやすくなり、新人の作業員であっても漏れなく作業できるようなアシストが可能となる可能性はある。しかし、特許文献１、２に記載の装置は作業のアシスト以外の点においては、必ずしも満足な結果を得ることが難しいという問題がある。なぜなら、清掃業務など、顧客の目の届かないところで作業を行うような業務においては、その作業業務が正しく行われたことを客観的に証明することが必要だからである。また、清掃業務を管理する清掃会社などにとっても、遠隔の対象施設で確実に清掃できたか把握可能とすることが求められる。
【０００９】
清掃業務など、顧客や管理者の目の届かないところで作業を行うような業務における係る要望に応えるためには、作業員（清掃員）による作業の進捗を客観的に確認可能として、業務のサービス品質にムラが生じているか否かを、作業員自身あるいは作業員を管理する側から客観的に把握することが必要であると考えられる。例えば、作業員を管理する側では、作業員が手を抜いていないか、必要程度の作業品質が担保されているか把握する必要がある。
【００１０】
本発明は、以上説明した従来の清掃業務など作業員による作業の課題を解決するためになされたものであり、作業員による業務の品質を確認することができる作業支援端末、そのシステムおよび方法を提供することを目的としている。
【課題を解決するための手段】
【００１１】
上記の目的を達成するために本発明による作業支援システムは、複数の作業エリアで作業する作業員に携帯される作業支援端末と、前記作業支援端末と通信する管理装置を備えた作業支援システムであって、前記作業支援端末は、現在の作業エリアを検出する作業エリア検出部と、振動を検出する手段であって該振動の検出に基づき作業員の現在行動量を検出する行動量検出部と、前記現在の作業エリアにおいて検出される前記現在行動量を記憶する記憶部と、を備え、前記管理装置は、前記作業支援端末から前記現在の作業エリアと前記現在行動量を受信する通信部と、予め前記作業エリアにおける基準行動量を記憶する記憶部と、前記作業支援端末が前記現在行動量を検出した作業エリアに対応する前記基準行動量と前記現在行動量とを比較する行動量比較部と、前記行動量比較部による比較の結果が所定範囲を外れているか否かを判定する判定部と、を備えていることを特徴としている。
【００１２】
また、本発明による作業支援システムは、さらに、前記行動量検出部により検出される前記現在行動量を監視して、単位時間当たりの前記現在行動量がしきい値に満たない状態が所定時間継続すると作業の滞留を判定する滞留判定部を備えるようにしてもよい。
【００１３】
さらに、本発明による作業支援システムは、前記行動量比較部によって比較される前記現在行動量と前記基準行動量は、前記作業エリアごとに把握される全行動量に係る情報と、前記作業エリアごとに把握される単位時間当りの行動量に係る情報と、前記作業エリアの作業を開始してから任意の作業エリアに至るまでに把握される全行動量に係る情報と、前記作業エリアの作業を開始してから任意の作業エリアに至るまでに把握される単位時間当りの行動量に係る情報と、からなる群から選択された一の情報に係るものとしてもよい。
【００１４】
また、本発明による作業支援システムは、前記作業支援端末において、前記記憶部は、前記作業エリアごとに設けられた標識装置と作業エリアとを対応させて予め記憶し、前記作業エリア検出部は、作業エリアごとに設けられた標識装置を認識する手段であって、該認識した標識装置に基づき前記現在の作業エリアを検出し、前記作業終了検出部は、標識装置の認識を当該標識装置に対応する作業エリアの作業終了の入力として受け付けるようにしてもよい。
【００１５】
また、上記の目的を達成するために本発明による作業支援端末は、複数の作業エリアで作業する作業員に携帯される作業支援端末であって、現在の作業エリアを検出する作業エリア検出部と、振動を検出する手段であって該振動の検出に基づき作業員の現在行動量を検出する行動量検出部と、予め前記作業エリアにおける基準行動量を記憶するとともに、前記現在の作業エリアにおいて検出される前記現在行動量を記憶する記憶部と、作業終了の入力を受け付ける作業終了検出部と、前記作業終了の入力があると、前記現在の作業エリアに対応する前記基準行動量と前記現在行動量とを比較する行動量比較部と、前記行動量比較部による比較の結果が所定範囲を外れているか否かを判定する判定部と、を備えることを特徴としている。
【００１６】
さらに、上記の目的を達成するために本発明による作業支援方法は、複数の作業エリアで作業する作業員を支援する作業支援方法であって、予め前記作業エリアにおける基準行動量を記憶するステップと、現在の作業エリアを検出するステップと、振動の検出に基づき作業員の現在行動量を検出するステップと、前記現在の作業エリアにおいて検出される前記現在行動量を記憶するステップと、作業終了の入力を受け付けると、前記現在の作業エリアに対応する前記基準行動量と前記現在行動量とを比較するステップと、前記基準行動量と前記現在行動量の比較の結果が所定範囲を外れているか否かを判定するステップと、を有することを特徴としている。
【発明の効果】
【００１７】
本発明によれば、作業エリアにおける作業員の行動量を検出して、これが基準値から外れているか否かを判定することができる。これにより、作業員による作業がどのように進捗しているかを客観的に確認可能とすることができ、作業員による業務の推測することが可能となる。
【図面の簡単な説明】
【００１８】
【図１】本実施形態における建物内の清掃エリアを示す図。
【図２】本実施形態における建物外の清掃エリアを示す図。
【図３】本実施形態における作業支援システムの構成を示すブロック図。
【図４】本実施形態における携帯端末の表示・入力手段と、その表示例を示す図。
【図５】本実施形態における携帯端末と管理装置における動作順序を示すシーケンス。
【発明を実施するための形態】
【００１９】
図１〜図５を参照して本実施形態の作業支援システム（以下、単にシステムとも称する）について説明する。
【００２０】
まず本システムが対象とする作業及び本システムの概要について図１及び図２を参照して説明する。
図１は、作業の一例として清掃業務を例示し、清掃の対象施設となる建物Ｔ内に設定された清掃エリアを示している。この清掃エリアは、図中一点鎖線で区分した各領域に記号Ａ〜Ｄを付して示したように、点検エリアと呼ばれる複数の区画に分けられている。各点検エリアＡ〜Ｄでは、図中記号ア〜チで示すように作業員となる清掃員Ｐが点検して清掃すべき点検項目が定められている。図中破線の矢印で示すように、清掃員Ｐは、所定の順序で各点検エリアを巡回し、各点検エリアＡ〜Ｄ内では所定の順序で各点検項目ア〜チを点検していく。
【００２１】
図２は、清掃業務の対象となる建物Ｔの外に設定された清掃エリアを示している。詳細は図示しないが、この清掃エリアも複数の点検エリアに分けられており、各点検エリアごとに複数の点検項目が定められている。図中破線の矢印で示すように、清掃員Ｐは、清掃作業の開始時に、清掃エリアを訪問して所定の順序で各点検エリアを巡回し、各点検エリア内において定められた点検項目を順に点検して清掃作業を行う。この清掃エリア、あるいは清掃エリアに含まれる点検エリアが、本発明の作業エリアに対応している。
【００２２】
例えば、図１に示した建物Ｔ内の清掃エリアの例では、点検エリアＡでは、点検項目アは窓、点検項目イは床や天井などの室内空間、点検項目ウは窓、点検項目エはコピー機である。点検エリアＢでは、点検項目オは窓、点検項目カは床や天井などの室内空間である。点検エリアＣでは、点検項目キは扉、点検項目クはキャビネット、点検項目ケは窓、点検項目コはテーブル、点検項目サは窓、点検項目シは床や天井などの室内空間、点検項目スは窓である。点検エリアＤでは、点検項目セは扉、点検項目ソは床や天井などの室内空間、点検項目タは窓、点検項目チは灰皿である。
【００２３】
なお、建物Ｔ内及び建物Ｔ外のいずれについても、清掃エリア内における点検エリアの区分や、各点検エリア内での点検項目は、予め清掃業務を管理する清掃会社と対象施設となる建物の管理者とが契約などにより定めるものであって、外観上識別できるようになっているわけではない。
【００２４】
図１中には示していないが、図１に示す清掃エリアの各点検エリアＡ〜Ｄには、各点検エリアごとに、点検エリアを示す識別標識である標識装置１がそれぞれ配置されている。また、清掃員Ｐは作業支援端末としての携帯端末２を所持しており、清掃エリアにおいて所定の順序で点検エリアを巡回して清掃を行う。清掃員Ｐは、各点検エリアＡ〜Ｄにおいて携帯端末２で標識装置１を認識することにより、現在清掃を行う各点検エリアＡ〜Ｄを識別し、この点検エリアＡ〜Ｄの点検項目を携帯端末２に表示させて点検を行う。また、図１には示していないが、清掃エリアとは異なる離れた位置に清掃員Ｐの作業を管理する管理センターがあり、そこには管理装置３が設置されている。管理装置３は管理員によって運用されており、清掃業務中は適宜清掃員Ｐの携帯端末２と通信を行い、点検結果を保存し、また各点検エリアＡ〜Ｄを巡回する清掃員Ｐの進行ペースあるいは作業に伴う行動量が標準的であるか否かを客観的な手法で常に監視し、清掃員Ｐによる清掃業務が正しく行なわれたことを客観的に保証する作業等を行なう。
【００２５】
次に、以上概要を説明した本システムの詳細について、本システムのブロック図である図３及び携帯端末２の表示・入力部１１の画面を示す図４を参照して説明する。
図３に示すように、清掃エリアを構成する各点検エリアＡ，Ｂ…には、それぞれ標識装置１が設けられている。標識装置１は、具体的にはＮＦＣタグのような識別タグによって構成されており、各点検エリアに設けられた標識装置１であることを示す識別情報がそれぞれ記憶されていて、後述する携帯端末２の読取部６によって近接的に読み取ることにより当該標識装置１がいずれの点検エリアに設けられたものであるかを知ることができるようになっている。標識装置１は、壁面に貼付けられたり壁紙の裏側等に埋め込まれて設置される。
【００２６】
標識装置１としては、少なくとも清掃エリアにおいて清掃員Ｐが最初に読み取る標識装置１（清掃エリアの始点標識装置）と、清掃エリアにおいて最後に通過する位置に設けられた標識装置１（清掃エリアの終点標識装置）とは、携帯端末２を所持する清掃員Ｐが意識的に携帯端末２を標識装置１に近接させるよう、非接触通信による読み取り可能距離が数ｃｍ程度となるようパッシブ方式によるＲＦタグとすることが好ましい。これらは清掃エリアの清掃開始と清掃エリアの清掃終了を示すものであり、清掃員Ｐが清掃中に近傍を通過したときに意図せず読み取ってしまわないようにする必要がある。一方で、清掃エリアの始点標識装置と清掃エリアの終点標識装置以外のその他の標識装置１については、清掃中に近傍を通過したときに読み取れるよう、非接触通信による読み取り可能距離が数ｍとなるような例えばBluetooth（登録商標）などによるアクティブ方式によるＲＦタグを採用してよく、また、始点標識装置および終点標識装置と同様にパッシブ方式によるＲＦタグとしてもよい。
【００２７】
なお、ここで標識装置１とは、必ずしもＮＦＣタグのように機械的又は電子的な内部構造を有するデバイスとの意味ではなく、要するに点検エリアの識別を行なう媒体となるものであればよく、より簡素な構成として、例えば各種バーコード類を用いることもできる。その場合、バーコードを携帯端末２の読取部６にて光学的に読み取るために、ＮＦＣタグとは異なり当該バーコードは各点検エリアにおいて視認可能な状態で設置する必要がある。
【００２８】
また、図３に示すように、清掃員Ｐが所持する携帯端末２は、マイクロコンピュータ等によって構成される制御部５を備えており、以下に説明するような機能を備えた携帯端末用プログラムを制御部５に読み込むことによって本システム用の携帯端末２とすることができる。かかる携帯端末２としては、ハード及びソフト共に専用に開発した装置を用意してもよいが、例えば必要な機能を備えたスマートフォンのような携帯端末に、必要な機能を備えた携帯端末用アプリケーションを搭載して利用することもできる。
【００２９】
図３に示すように、携帯端末２は、前述した標識装置１を読み取って現在の作業エリアを検出する作業エリア検出部として、制御部５によって制御される読取部６を備えている。読取部６は、例えばＮＦＣタグとしての標識装置１と近接通信により情報を読み取るタグリーダとして構成される。また標識装置１がバーコードなどである場合には、読取部６はカメラ等でバーコードを認識する撮像手段として構成される。清掃業務中、清掃員Ｐが携帯端末２を標識装置１に近接させれば、読取部６は標識装置１の識別情報を読み取ることができる。
【００３０】
また、図３に示すように、携帯端末２は、当該携帯端末２を携帯して清掃エリア内を進行する清掃員Ｐの行動量を検出するための行動量検出部７を備えている。本実施形態において、行動量検出部７は携帯端末２に生じた振動数から行動量を検出する。清掃作業は、清掃員が身体を使って各所を掃除する作業あり、作業の進展に応じて振動が計測され得る。すなわち本実施形態では、清掃エリア内を進行する清掃員Ｐの清掃作業の状況を把握するために、清掃などの作業行動あるいは歩行移動が滞留なく正常であるかを客観的に把握することを目的としており、そのための指標として、清掃エリア内における清掃員Ｐの振動をカウントしてこれを作業の行動量として検出し、後述する基準値と比較することとしたものである。このため、本実施形態の行動量検出部７は、加速度センサを内蔵しており、これによって検出した清掃員Ｐの加速度の変化をソフトウエアによって処理し、その処理結果から加速度の増減の繰り返し数をカウントして清掃員Ｐの振動数を計数する。もちろんこれは一例であり、振動カウントの原理を限定するものではない。
【００３１】
そして、制御部５は、この行動量検出部７が検出した清掃員Ｐの行動量を時間的要素に基づいて適宜演算処理することにより、本システムにおいて制御に使用される現在行動量を得ている。例えば、現在行動量としては、点検エリア内で計測された行動量の積算に係る情報（点検エリア内の全行動量）でもよいし、点検エリアごとに把握される行動量を点検エリアの作業に要した時間で除して得た単位時間当りの行動量に係る情報でもよい。この場合、具体的には、各点検エリアの点検を開始してから終了するまでの点検に要した時間で点検エリア内の点検に要した全行動量を除して１分当りの平均行動量を算出し、後に、基準行動量である１分当りの基準値と比較して所定以上の差があれば作業が不適切として判定するようにしてよい。
また、清掃エリアの点検を開始してから清掃エリア内の任意の点検エリアに至るまでに累積的にカウントされた行動量に係る情報でもよいし、清掃エリアの点検を開始してから清掃エリア内の任意の点検エリアに至るまでに累積的にカウントされた行動量をそれまでの点検に要した時間で除して得た単位時間当りの行動量に係る情報であってもよい。この場合、具体的には、清掃エリアの点検を開始してから任意の時点までの時間で、そこまでの点検に要した全行動量を除して１分当りの平均行動量を算出し、後に、基準行動量である基準値と比較して所定以上の差があれば作業が不適切として判定するようにしてよい。現在行動量としていずれを採用するも任意であるが、いずれにしても清掃員Ｐが清掃エリアを移動して任意の点検エリアの標識装置１を携帯端末２で読み取ったとき、その読取時である認識時刻における行動量として現在行動量が取得される。また、標識装置１を読み取ったときに取得された現在行動量は管理センターの管理装置３に送信され、直前の点検エリアにおける作業が適切であったかの比較に利用される。
【００３２】
また、携帯端末２は、行動量検出部７が検出する現在の行動量を監視するために、制御部５によって制御される滞留判定部１４を備えている。これは、清掃員Ｐが清掃作業中に行動量が少ない場合、清掃作業の品質を担保する上で問題となる可能性（例えば、手を抜いていたり清掃エリアにある客先の情報を不要に見ているなど）があり、これを検出しようとするものである。このために、滞留判定部１４は、行動量検出部７が検出する現在の行動量が身体が動いていることを判定するための所定閾値に満たない場合に作業の滞留を判定する。具体的には、本実施形態において滞留判定部１４は、行動量検出部７が検出する現在の行動量を単位時間（例えば１分）ごとに滞留を判定するための所定閾値と比較し、所定閾値に満たない場合に、滞留予備状態と判定する。そして、滞留判定部１４は、滞留予備状態が作業の滞留を判定するための所定時間（例えば５分）継続すると、作業の滞留と判定する。作業の滞留と判定されると、管理センターの管理装置３に滞留信号が送信される。
【００３３】
図３に示すように、携帯端末２は、制御部５によって制御される記憶部８を備えている。この記憶部８には、清掃エリアに含まれる点検エリアとその標識装置１の情報、および、清掃業務に際して各点検エリアで行なうべき点検項目等についてのデータを記憶する。携帯端末２は、予め管理装置３から清掃エリアに含まれる点検エリアと点検項目に関するデータをダウンロードしてもよく、また、移動体通信網を介して、標識装置１を読み取ったことを管理装置３に送信し、その都度対応する点検エリアの点検項目のデータを管理装置３から受信するようにしてもよい。また、制御部５は、清掃業務中、読取部６が標識装置１を認識して取得した識別情報と、この標識装置１を認識した認識時刻と、その認識時刻において行動量検出部７がカウントしている行動量に基づく現在行動量を、経過情報として互いに対応付けて記憶部８に記憶させる。また、作業の滞留と判定された場合にはその情報も判定時刻の情報とともに記憶する。なお、時刻の認識は制御部５内のクロックによって行なうことができる。
【００３４】
また、図３に示すように、携帯端末２は、制御部５によって制御される通信部９を備えている。通信部９は、管理センターに設置された管理装置３と、任意の手法によって通信し、必要な情報の伝達を行なうことができる。本システムでは、各点検エリアを作業する清掃員Ｐの進行ペースあるいは作業に伴う行動量が適正なものであるかを確認するため、制御部５の制御により、記憶部８に対応付けて記憶した識別情報と現在行動量を管理装置３に送ることができる。通信部９より管理装置３に送信される信号には、携帯端末２を識別する情報あるいは携帯端末２を所持する清掃員Ｐを識別する情報が付加される。携帯端末を識別する情報は例えば電話番号やシリアル番号であり、清掃員Ｐを識別する情報は例えば社員番号などである。なお、通信部９の通信手法は問わない。電波によって直接的に通信してもよいし、各種電気通信回線１０を用いて通信してもよい。
【００３５】
図３に示すように、携帯端末２は、点検を行なおうとする点検エリアの点検項目を表示する点検項目表示手段かつ点検項目について点検結果情報を入力する点検情報入力手段として、表示・入力部１１を備えている。点検結果情報（以下、単に点検情報とも称する）は、点検エリアの点検項目についての点検の状態に関する備考などを清掃員Ｐの入力により設定した情報である。本実施形態において、この表示・入力部１１は、タッチスイッチ機能を有する表示装置であり、制御部５によって制御される。清掃業務中、ある点検エリアで清掃員Ｐが携帯端末２を標識装置１にかざし、携帯端末２の読取部６が標識装置１を認識すると、当該点検エリアに対応して記憶部８に予め記憶された点検項目のデータを制御部５が読み出し、図４（ａ）に例示するように点検項目を点検画面１１ａに表示する。清掃員Ｐは、この表示を見て、漏れの無いように点検して清掃を行う。また、点検結果に問題があった場合等、必要に応じて図４（ｂ）に例示するコメント画面１１ｂを表示し、未点検の理由等の入力を行う。これによって清掃員Ｐの清掃業務をアシストする。
【００３６】
図４（ａ）に示すように、点検画面１１ａに表示される点検項目は、点検ポイント１２ａと、その点検ポイントに対応したコメントボタン１２ｂから構成されている。清掃員Ｐは、各項目ごとの点検ポイントで、清掃を行う。例えば、点検ポイント「南東窓」については、拭き掃除を実施する。順次点検する中で、何らかの特記事項を記録すべきものについては、コメントボタン１２ｂを押して図４（ｂ）に示すコメント画面１１ｂを表示させる。コメント画面１１ｂでは、チェック欄１２ｃへのチェック又は自由入力欄１２ｄへの記載によって、点検画面１１ａの対応する点検項目について未点検の理由などを記録することができる。コメント画面１１ｂの記入後、確定ボタン１２ｅを押せば点検画面１１ａに戻る。コメントが記録された場合には、点検画面１１ａの対応する点検項目のコメントボタン１２ｂがコメント記録前とは異なる色彩で表示されている（例えば図４（ａ）最下段参照）。
【００３７】
図３に示すように、携帯端末２は、作業終了の入力を受け付ける作業終了検出部として、点検エリアの清掃が終了したか否かを判定する終了判定部１３を備えている。終了判定部１３は、清掃員Ｐが標識装置１に携帯端末２をかざして標識装置１の識別情報を読み出したときに、これを直前の点検エリアの作業終了として受け付けて、この標識装置１が設置された位置直前の点検エリアの清掃が終了したと判定する。このとき、携帯端末２が取得している現在行動量が管理センターの管理装置３に送信され、直前の点検エリアにおける作業が適切であったかの比較に利用される。
【００３８】
また、終了判定部１３は、清掃員Ｐが清掃エリア内の所定の標識装置１に携帯端末２をかざし、この所定の標識装置１の識別情報を読み出したときに、これらの操作がトリガーとなって終了判定を実行する。所定の標識装置１は、清掃エリアにおいて最後に通過する位置に設けられた標識装置１（清掃エリアの終点標識装置）であって、例えば清掃エリアの出入り口に設けられている。終了判定においては、記憶部８に経過情報として記憶した清掃業務中に認識した標識装置１の情報に、当該清掃エリアに含まれる全ての点検エリアの標識装置１が含まれるか判定する。清掃エリアの全ての標識装置１を読み取っていれば、当該清掃エリアの清掃終了と判定する。他方、清掃業務中に認識していない（読取部６にて読み取っていない）標識装置１があれば、点検漏れがあることを表示・入力部１１に表示する。判定結果と点検結果情報、および清掃エリア内で計測された行動量の情報が管理センターの管理装置３に送信されて保存、管理される。
【００３９】
なお、終了判定部１３は、標識装置１の識別情報を読み出したときに直前の点検エリアあるいは清掃エリアの終了を判定する例に限定されず、携帯端末２の表示・入力部１１から所定の入力を受け付けて直前の点検エリアあるいは清掃エリアの終了を判定するようにしてもよい。
【００４０】
図３に示す管理装置３は、点検エリアＡ，Ｂ…から離れた場所に設置された管理センター内に配置されている。管理装置３は、マイクロコンピュータ等によって構成される制御部１５を備えており、以下に説明するような機能を備えた管理装置用プログラムを制御部１５に読み込むことによって本システム用の管理装置３とすることができる。かかる管理装置３としては、パソコンに必要な機能を備えた管理装置用アプリケーションを搭載して利用することもできる。
【００４１】
図３に示すように、管理装置３は、清掃員Ｐの情報および清掃員Ｐが所持する携帯端末２の情報を対応付けて記憶するとともに、各対象施設の清掃エリアに含まれる点検エリアとその標識装置１の情報、および、清掃業務に際して各点検エリアで行なうべき点検項目等についてのデータを予め記憶した記憶部１６を備えている。
また、記憶部１６には、各標識装置１に対応する基準行動量が予め記憶されている。標識装置１に対応する基準行動量とは、標識装置１が設置された位置までの点検エリアおいて通常通りに清掃した場合に計測される行動量であって、点検エリアにおける作業が適切であったかを判定するための行動量の水準値である。基準行動量は、清掃員Ｐの性別や年齢、体格といったそれぞれ異なる要因を考慮しつつ点検エリアの清掃作業に要する標準的な行動量として予め設定される。
【００４２】
ここで、この基準行動量は、前述した現在行動量と同様、標識装置１が設置された位置に対し直前の点検エリア内で計測された行動量の積算に係る情報（点検エリア内の全行動量）でもよいし、単位時間当りの行動量に係る情報でもよいし、清掃エリアの点検を開始してから清掃エリア内の任意の点検エリアに至るまでに累積的にカウントされた行動量の情報でもよいし、清掃エリアの点検を開始してから当該点検エリアまでの単位時間当りの行動量の情報でもよい。また、各点検エリアに共通した行動量の基準値であってもよく、各点検エリアに共通した単位時間当りの行動量でもよい。もちろん、基準行動量と現在行動量は同じ規則のものを採用する必要がある。図１に示した建物Ｔ内の清掃エリアの例では、点検エリアＡ〜Ｄの各々において、各所に設置した標識装置１ごとにその直前の点検エリア内で計測される行動量の積算値（点検エリア内の全行動量）を基準行動量として記憶部１６に記憶しておく。
【００４３】
図３に示すように、管理装置３は、制御部１５によって制御される通信部１７を備えている。通信部１７は、清掃エリアを巡回する清掃員Ｐが携帯している携帯端末２と電気通信回線１０又は任意の手段によって通信し、必要な情報の伝達を行なうことができる。本システムでは、各点検エリアにおける清掃員Ｐの行動量が適切か否かを客観的に確認するため、制御部１５の制御により、携帯端末２が認識した標識装置１の識別情報と現在行動量を携帯端末２から通信により取得することができる。また、携帯端末２にて作業の滞留と判定されると、携帯端末２から滞留信号を受信する。これらの携帯端末２から取得した情報は、記憶部１６に保存、管理され、また図示しないモニタなど表示手段に出力されて管理員による業務管理の情報把握に利用される。さらに、清掃エリアの清掃が終了したときに点検結果のデータを携帯端末２から通信により取得して保存、管理し、必要に応じて表示出力することもできる。
【００４４】
また、図３に示すように、管理装置３は、制御部１５によって制御され、携帯端末２から取得した現在行動量と、記憶部１６の基準行動量とを比較する行動量比較部１８を備えている。制御部１５は、携帯端末２から取得した識別情報から当該標識装置１を特定し、特定した当該標識装置１に対応する基準行動量を記憶部１６から読み出し、行動量比較部１８において携帯端末２から取得した現在行動量と読み出した基準行動量とを比較する。
【００４５】
図３に示すように、管理装置３は、制御部１５によって制御される行動量判定部１９を備えている。行動量判定部１９は、行動量比較部１８による比較の結果が所定範囲を外れている場合、すなわち所定範囲を超えたり、下回っている場合には、当該点検エリア内における清掃員Ｐの清掃業務が不適切であると判定する。具体的には、現在行動量が、基準行動量に対する所定の許容範囲（基準行動量±一定量）の範囲にあるか否かを判定する。例えば、現在行動量が基準行動量を一定量下回っている場合には、清掃行動が想定より少ないことが推測され得る。また、現在行動量が基準行動量を一定量超えている場合には、清掃エリア内で不審な行動を取っていることが推測され得る。この判定結果は、管理装置３の図示しない表示装置に表示されて管理員の注意を喚起する。また、このとき、通信部１７、電気通信回線１０を介して携帯端末２に判定結果を送信し、携帯端末２の表示・入力部１１に判定結果を表示して清掃員Ｐの注意を促すようにしてもよい。
【００４６】
次に、本システムの動作例について、本システムの動作シーケンス例を示す図５を参照して説明する。
図５に示すように、携帯端末２側の清掃業務手順においては、まず清掃業務の開始にあたり、携帯端末２に全点検エリアの点検項目に関するデータを記憶させる（Ｓ１）。そのデータ記憶の手段は、管理センターの管理装置３からのダウンロードでもよいし、その他の管理用サーバ等からのダウンロードでもよく、さらに点検項目に関するデータを記憶した記憶媒体を携帯端末２に接続して行なってもよい。
【００４７】
図５に示すように、清掃員Ｐは、清掃エリアにおいて最初に読み取る標識装置１（清掃エリアの始点標識装置）を携帯端末２で読み取って、清掃エリアの巡回清掃を開始する（Ｓ２）。このとき、清掃エリアにおいて最初の標識装置１を読み取ると、携帯端末２から管理センターの管理装置３に対して清掃開始を通知する清掃開始信号が送信される。管理装置では清掃開始が記憶され（Ｓ３）、遠隔で清掃業務が開始したことを把握することができる。清掃員Ｐは、最初の点検エリア（図１の例では点検エリアＡ）において携帯端末２を標識装置１にかざし、その識別情報を読み取る（Ｓ４）。また、ここで読み取った最初の点検エリアの標識装置１の識別情報と、行動量検出部７が計測を開始する行動量の初期値と、読み取り時の時刻である認識時刻は関連づけて記憶部１６に記憶される（Ｓ５）。
【００４８】
そして、携帯端末２は、行動量検出部７により現在行動量の検出を開始する（Ｓ６）。本実施形態では、一例として、各点検エリアごとに点検エリア内の全行動量を積算して計測する例について説明する。すなわち、この最初の点検エリアの標識装置１を読み取ると行動量が計測開始され、次の標識装置１を読み取って、当該最初の点検エリアが終了すると、この点検エリアにおける現在行動量として取得される。本実施形態の行動量検出部７は、加速度センサによる加速度の増減繰り返し数を振動数としてカウントしてこれを現在行動量として検出する。行動量検出部７をこのような振動計（例えば万歩計（登録商標））として構成した場合には、この最初の点検エリアの標識装置１読み取り時点で計測されている行動量が初期値となり、当該点検エリアの点検が終了したときに計測されている行動量と当該初期値との差分によって得られた当該点検エリア内の清掃に伴う行動量（すなわち最初の点検エリアにおける作業の程度）が現在行動量として取得されることとなる。
【００４９】
このように、携帯端末２が標識装置１を認識すると、携帯端末２の記憶部１６に記憶させておいた点検項目のデータが読み出され、図４（ａ）に例示するように点検項目が点検画面１１ａに表示される。点検員Ｐは、この表示を見て、漏れの無いように点検を行い清掃を実施して、必要に応じて図４（ｂ）に例示するコメント画面で必要なコメントなど点検結果情報を入力する。
【００５０】
ここで、この最初の点検エリアの清掃中において、行動量検出部７が検出する現在の行動量を単位時間（例えば１分）ごとに滞留を判定するための所定閾値と比較し、所定閾値に満たない状態（滞留予備状態）が所定時間（例えば５分）継続すると、滞留判定部１４が作業の滞留と判定する（Ｓ７）。作業の滞留と判定されると、管理センターの管理装置３に滞留信号が送信され、管理装置３にてこの情報が記憶されるとともに異常情報として表示あるいは鳴動出力される（Ｓ８）。なお、作業の滞留と判定されると、携帯端末２においても図示しないブザーあるいは表意・入力部１１により報知出力されてよい。
【００５１】
最初の点検エリアの清掃作業が終了すると、清掃員Ｐは次の点検エリアにおいて携帯端末２を標識装置１にかざし、その識別情報を読み取る（Ｓ９）。これにより、終了判定部１３は、直前の点検エリアである最初の点検エリアの清掃が終了したと判定する（Ｓ１０）。このとき、携帯端末２では最初の点検エリアにおける清掃員の行動量として現在行動量、および、清掃した最初の点検エリアを識別する情報を、管理センターの管理装置３に送信する（Ｓ１１）。直前の点検エリアにおける作業が適切であったかの比較に利用される。
【００５２】
管理装置３では、携帯端末２から送信された現在行動量と点検エリアを識別する情報を、記憶部１６に格納、保存する（Ｓ１２）。管理装置３の制御部１５は、携帯端末２から取得した識別情報より点検エリアの標識装置１を特定し、特定した標識装置１の基準行動量を記憶部１６から読み出す（Ｓ１３）。そして、制御部１５は、行動量比較部１８を制御することにより、この点検エリアの清掃に伴う作業の程度である現在行動量と読み出した基準行動量を比較し、行動量判定部１９で判定を行なう。このとき両者の差が所定の許容範囲を超えていれば当該点検エリアにおける清掃業務の進行ペースが不適切であると判定する。判定結果は、管理装置３の表示画面に表示されて管理員の注意を喚起する。なお、このとき、携帯端末２に判定結果を送信され、携帯端末２にて清掃員Ｐに注意を促すようにしてもよい。
【００５３】
また、携帯端末２では、読み取った新しい点検エリアの標識装置１の識別情報と、読み取ったときまで計測されていた行動量と、読み取り時の時刻である認識時刻が関連づけて記憶部１６に記憶される（Ｓ１５）。そして、この新しい点検エリアについて行動量検出部７により現在行動量の検出を開始する（Ｓ１６）。
【００５４】
次の点検エリアに進んで標識装置１の識別タグを読み取った後における携帯端末２での手順は、手順Ｓ５〜Ｓ１０で説明した内容と同様である。清掃員Ｐはこのように携帯端末２を用いながら清掃エリアの清掃を進める。そして、携帯端末２が清掃エリアの最後を示す所定の標識装置１（清掃エリアの終点識別装置）を読み取ると（Ｓ１７）、終了判定部１３は清掃作業が終了したか否かを判定する（Ｓ１８）。終了判定部１３は清掃業務中に認識していない（読取部６にて読み取っていない）標識装置１があれば、点検漏れがあることを表示部に表示する。また、清掃エリアの全ての標識装置１を読み取っていれば、当該清掃エリアの清掃終了と判定する。判定結果と点検結果情報、および清掃エリア内で計測された行動量の情報が管理センターの管理装置３に送信されて保存、管理される（Ｓ１９）。
【００５５】
以上説明したように、本システムでは、清掃員Ｐによる清掃業務の作業の度合いを客観的に管理するようにした。すなわち、スマートフォン等の携帯端末２で識別タグを読んだときに、携帯端末２の現在行動量を計測して、各点検エリアにおける清掃員Ｐの清掃業務の作業行動の程度を清掃員Ｐの携帯端末２だけでなく、管理センターの管理装置３でもチェックできるようにした。
【００５６】
このため、本システムによれば、各点検エリアにおける清掃員Ｐの清掃業務の作業度合いの適否を、清掃員Ｐだけでなく、管理装置３においても確認できる。すなわち、何らかの理由で清掃員Ｐの清掃中の行動量が少ないといったことを清掃員Ｐを管理する側から把握できる。このように清掃業務の品質を定量的に判断することにより、清掃員Ｐによる清掃業務が正しく行なわれたことを客観的に保証し、以て清掃業務の品質を客観的に証明することができるという効果が得られる。
【００５７】
なお、本システムでは、清掃員Ｐが持つ携帯端末２から管理装置３が情報を取得し、管理センター側で清掃員Ｐの清掃業務の行動量の適否を判定していたが、これに限定されない。例えば、清掃員Ｐが持つ携帯端末２の側で清掃業務の行動量の適否を判定するようにしてもよい。以下、かかる変形例について説明する。
【００５８】
この変形例において、管理装置３の行動量比較部１８および行動量判定部１９とこれらによる比較判定処理に用いる制御部１５の制御プログラムを携帯端末２の構成要素として携帯端末２の制御部５にて制御するように構成し、管理装置３の記憶部１６から清掃エリアの点検エリアと点検項目に関する情報を取得するときに各識別装置１に対応する基準行動量も取得するようにする。そして、図５に示した動作シーケンス例において、携帯端末２がＳ１１の手続きの後に、Ｓ１２からＳ１４の手続きを実行するようにすればよい。携帯端末２によるＳ１４の判定結果は、携帯端末２の表示・入力部１１に出力され清掃員Ｐに注意を促すとともに、管理装置３に送信されて管理装置３にて記憶および表示されて管理員の注意を喚起する。
【００５９】
この変形例によれば、清掃エリアの各点検エリアに識別タグ等の構成の簡単な標識装置１を設け、清掃員Ｐはスマートフォン等で構成できる携帯端末２を所持して点検エリアを清掃しながら巡回するだけで、各点検エリアにおいて適正な行動量で正しく清掃が行われたか否かを現場で確実に判別でき、アシストを受けて適正品質の清掃作業を確実に行なうことができる。
【００６０】
また、本実施形態では、行動量判定部１９は、行動量比較部１８による比較の結果が所定範囲を外れている場合として、所定範囲を超えたり下回っている場合に、当該点検エリア内における清掃員Ｐの清掃業務が不適切であると判定する例について説明したが、これに限定されない。行動量判定部１９は、行動量比較部１８による比較の結果が所定範囲を外れている場合として、少なくとも、現在行動量が基準行動量を所定量下回っている場合、すなわち、基準行動量よりも一定以上少ない場合に、当該点検エリア内における清掃員Ｐの清掃業務が不適切であると判定してよい。これにより、清掃員の作業行動の度合いが想定される一定水準に達しているか否かが判定でき、清掃作業の品質を把握することが可能となる。
【００６１】
さらに、本実施形態では、作業員による作業の一例として清掃員による清掃作業に本システムを用いて説明したが、本発明の適応範囲はこれに限定されない。設備機器などの保守点検業務や警備対象施設の警備巡回業務など、顧客や管理者の目の届かないところで作業を行うような業務において、作業員による作業の進捗を客観的に確認可能として、業務のサービス品質にムラが生じているか否かを、作業員自身あるいは作業員を管理する側から客観的に把握することが求められる種々の作業現場において適応することが可能である。
【符号の説明】
【００６２】
Ｐ…清掃員
Ａ〜Ｆ…点検エリア
ア〜チ…点検項目
１…標識装置（識別タグ）
２…携帯端末
３…管理装置
５…携帯端末の制御部
６…携帯端末の読取部
７…携帯端末の行動量検出部
８…携帯端末の記憶部
１３…携帯端末の終了判定部
１４…携帯端末の滞留判定部
１５…管理装置の制御部
１６…管理装置の記憶部
１７…管理装置の通信部
１８…管理装置の行動量比較部
１９…管理装置の行動量判定部
【図１】
2015191527.tif 000003
【図２】
2015191527.tif 000004
【図３】
2015191527.tif 000005
【図４】
2015191527.tif 000006
【図５】
2015191527.tif 000007